(57)【要約】【課題】仮想空間の広告と通常のＷｅｂページの広告とを連動して広告に対するユーザの興味を継続させる。さらに、仮想空間において掲載した広告に対してページビューの計測を可能にし、広告効果の評価を行うことが可能な広告配信サーバ及び方法を提供すること。【解決手段】広告配信サーバ１は、広告枠４１２を有するＷｅｂページ４０２を表示したユーザ端末２から広告の配信要求を受付け、ユーザ端末２のユーザを認証する。さらに、仮想空間４０１において認証されたユーザと、Ｗｅｂページ４０２において認証されたユーザ端末２のユーザと、の同一性を判断する。そして、同一のユーザであると判断したときには、仮想空間４０１に仮想空間広告４１１を表示するための第１の広告データに関連した、Ｗｅｂページ４０２に広告枠４１２を表示するための第２の広告データを選択し、ユーザ端末２に配信する。【選択図】図３
2010015333.tif 000002
【特許請求の範囲】
【請求項１】
ユーザ端末に対して、広告データを配信する広告配信サーバであって、
仮想空間を前記ユーザ端末に表示するためのデータを送信する仮想空間提供手段と、
前記仮想空間内の所定の位置に、第１の広告データを配置する仮想空間広告提供手段と、
前記ユーザ端末を操作するユーザを認証する仮想空間認証手段と、
前記ユーザ端末に前記第１の広告データが表示されたことに応じて、前記ユーザ端末に前記第１の広告データが閲覧されたことを示す広告閲覧ログを記憶する広告閲覧ログ記憶手段と、
ユーザ端末を介して、広告枠を有するＷｅｂページに対する配信要求を受付ける配信受付手段と、
前記配信要求を受付けたユーザ端末のユーザを認証するログイン認証手段と、
前記仮想空間認証手段により認証されたユーザと、前記ログイン認証手段により認証されたユーザと、の同一性を判断するユーザ同一性判断手段と、
前記ユーザ同一性判断手段が判断した同一のユーザに対して、前記広告閲覧ログ記憶手段に記憶された広告閲覧ログに基づいて、前記第１の広告データに関連した第２の広告データを選択する広告データ選択手段と、
前記配信要求を受付けた前記Ｗｅｂページ内の広告枠に表示するために、前記広告データ選択手段が選択した第２の広告データを、前記ユーザ端末に配信する広告配信手段と、
を備える広告配信サーバ。
【請求項２】
前記広告閲覧ログ記憶手段は、前記第１の広告データが配置された前記仮想空間内の所定の位置と、前記ユーザ端末を操作するユーザに対応するアバターの前記仮想空間内の位置とが、所定の距離範囲であって、かつ、前記ユーザ端末に前記第１の広告データが表示されたことに応じて、前記ユーザ端末に前記第１の広告データが閲覧されたことを示す広告閲覧ログを記憶する、請求項１に記載の広告配信サーバ。
【請求項３】
前記ユーザ同一性判断手段が判断した同一のユーザに対して、前記広告閲覧ログ記憶手段に記憶された広告閲覧ログに基づいて、閲覧時刻が最新の前記第１の広告データに関連した第２の広告データを選択する広告データ選択手段を備える請求項１又は２に記載のサーバ。
【請求項４】
ユーザ端末に対して、広告データを配信する広告配信サーバが実行する広告配信方法であって、
仮想空間を前記ユーザ端末に表示するためのデータを送信するステップと、
前記仮想空間内の所定の位置に、第１の広告データを配置するステップと、
前記ユーザ端末を操作する仮想空間内におけるユーザを認証するステップと、
前記ユーザ端末に前記第１の広告データが表示されたことに応じて、前記ユーザ端末に前記第１の広告データが閲覧されたことを示す広告閲覧ログを記憶するステップと、
ユーザ端末を介して、広告枠を有するＷｅｂページに対する配信要求を受付けるステップと、
前記配信要求を受付けたユーザ端末のユーザを認証するステップと、
前記仮想空間において認証されたユーザと、前記配信要求を受け付けて認証されたユーザと、の同一性を判断するステップと、
前記同一と判断されたユーザに対して、前記広告閲覧ログに基づいて、前記第１の広告データに関連した第２の広告データを選択するステップと、
前記配信要求を受付けた前記Ｗｅｂページ内の広告枠に表示するために、前記選択した第２の広告データを、前記ユーザ端末に配信するステップと、
を備える広告配信方法。
【発明の詳細な説明】
【技術分野】
【０００１】
本発明は、仮想空間内でユーザが見た広告に関連した広告を、当該ユーザが閲覧しているＷｅｂページに表示するサーバ、システム、方法に関する。
【背景技術】
【０００２】
従来より、ＷＷＷ（Ｗｏｒｌｄ  Ｗｉｄｅ  Ｗｅｂ）において、ウェブサーバが、ユーザの利用するユーザ端末に表示したＷｅｂページにおいて、広告を行いたいサイトの概要を表す画像に広告を行いたいサイトのＵＲＬを関連付けた、バナーを表示して、ユーザに広告を行いたいサイトを閲覧させる広告方法があった。
近年、メタバースと呼ばれる電子データによる仮想三次元空間において、仮想三次元空間を構成するオブジェクトにより広告を行う方法が現実となりつつある。仮想三次元空間において広告を行うことにより、例えば、仮想空間内において大々的な広告を行い、仮想空間内における広告の露出を高めて、仮想空間内のユーザ間の口コミ等によりユーザの購買意欲を高めることが可能となる。
バナーを表示して、ユーザに広告を行いたいサイトを閲覧させる広告方法においては、バナーのリンク先にユーザが移動するためにバナーをクリックした頻度をバナークリックとして広告効果の指標として、広告の費用対効果を考える際の指標として用いられている。したがって、仮想三次元空間を構成するオブジェクトにより広告を行う方法においても、広告効果の指標が必要となる。
【特許文献１】特開２００２−１５７５１５号公報
【発明の開示】
【発明が解決しようとする課題】
【０００３】
このように、ＷＷＷにおいて、ウェブサーバが、ウェブページに三次元バナー広告を貼り付けて通信網を介して配信し、ユーザがウェブブラウザを操作して三次元バナー広告をウォークスルー（歩き回る）したときの状態に基づいて広告料金を算出する方法があった。
しかしながら、三次元バナー広告のなす画像内においてウォークスルーしたときの移動距離又は位置を広告効果として広告料金を算出する方法は、上述のバナークリックのようにユーザが能動的に広告に対して働きかけた行動を記録した数値ではないため、広告効果の指標としては適当でない場合があった。
【０００４】
本発明は、仮想空間における広告配信と通常のＷｅｂページにおける広告とを連動して表示して広告に対するユーザの興味を継続させると共に、仮想空間において掲載した広告に対してページビューの計測を可能にし、広告効果の評価を行うことが可能な広告配信サーバ、システム、方法を提供することを目的とする。
【課題を解決するための手段】
【０００５】
上記目的を達成するために、本発明者は、仮想空間における広告を閲覧したユーザと、Ｗｅｂページを閲覧したユーザと、の同一性を判断して、仮想空間における広告と関連した広告をＷｅｂページに表示してユーザに閲覧させる仕組みを見出し、本発明を想到するに到った。
本発明に係る広告配信サーバは、仮想空間内でユーザが見た広告に関連した広告を、当該ユーザが閲覧しているＷｅｂページに表示するものである。
【０００６】
（１）  ユーザ端末に対して、広告データを配信する広告配信サーバであって、
仮想空間を前記ユーザ端末に表示するためのデータを送信する仮想空間提供手段と、
前記仮想空間内の所定の位置に、第１の広告データを配置する仮想空間広告提供手段と、
前記ユーザ端末を操作するユーザを認証する仮想空間認証手段と、
前記ユーザ端末に前記第１の広告データが表示されたことに応じて、前記ユーザ端末に前記第１の広告データが閲覧されたことを示す広告閲覧ログを記憶する広告閲覧ログ記憶手段と、
ユーザ端末を介して、広告枠を有するＷｅｂページに対する配信要求を受付ける配信受付手段と、
前記配信要求を受付けたユーザ端末のユーザを認証するログイン認証手段と、
前記仮想空間認証手段により認証されたユーザと、前記ログイン認証手段により認証されたユーザと、の同一性を判断するユーザ同一性判断手段と、
前記ユーザ同一性判断手段が判断した同一のユーザに対して、前記広告閲覧ログ記憶手段に記憶された広告閲覧ログに基づいて、前記第１の広告データに関連した第２の広告データを選択する広告データ選択手段と、
前記配信要求を受付けた前記Ｗｅｂページ内の広告枠に表示するために、前記広告データ選択手段が選択した第２の広告データを、前記ユーザ端末に配信する広告配信手段と、
を備える広告配信サーバ。
【０００７】
（１）の発明によれば、広告配信サーバは、第１の広告データを所定の位置に含む仮想空間をユーザ端末に表示する。さらに、広告配信サーバは、仮想空間を表示している端末のユーザを認証する。そして、広告配信サーバは、第１の広告データが表示されたときにユーザは広告を閲覧したものとして記憶する。
【０００８】
一方で、広告配信サーバは、広告枠を有するＷｅｂページを表示したユーザ端末から広告の配信要求を受付ける。さらに、広告配信サーバは、配信要求を受け付けたユーザ端末を操作するユーザを認証する。そして、広告配信サーバは上述の仮想空間を表示するユーザ端末を操作していた認証されたユーザと、配信要求を受け付けたユーザ端末の認証されたユーザと、の同一性を判断する。広告配信サーバは、同一のユーザであると判断したときには、ユーザが仮想空間において広告を閲覧した広告閲覧ログに基づいて、第１の広告データに関連した第２の広告データを選択する。
【０００９】
これにより、広告配信サーバは、配信要求を受付けたユーザ端末に表示したＷｅｂページ内の広告枠に表示するために、選択した第２の広告データを、前記ユーザ端末に配信する。
【００１０】
そのため、広告配信サーバは、仮想空間において第１の広告を閲覧した認証されたユーザが、ユーザ端末においてＷｅｂページを閲覧したときに認証を行い、第１の広告を閲覧したユーザとＷｅｂページを閲覧しているユーザが同一のユーザと判断したときには第１の広告と関連した第２の広告をユーザ端末に表示されたＷｅｂページの広告枠に表示することができる。
【００１１】
したがって、広告配信サーバは、仮想空間における広告配信と通常のＷｅｂページにおける広告とを連動して表示して広告に対するユーザの興味を継続させると共に、仮想空間において掲載した広告に対してページビューの計測を可能にし、広告効果の評価を行うことが可能となる。
【００１２】
（２）  前記広告閲覧ログ記憶手段は、前記第１の広告データが配置された前記仮想空間内の所定の位置と、前記ユーザ端末を操作するユーザに対応するアバターの前記仮想空間内の位置とが、所定の距離範囲であって、かつ、前記ユーザ端末に前記第１の広告データが表示されたことに応じて、前記ユーザ端末に前記第１の広告データが閲覧されたことを示す広告閲覧ログを記憶する、（１）に記載の広告配信サーバ。
【００１３】
（２）の発明によれば、広告配信サーバは、第１の広告データが配置された仮想空間内の所定の位置と、ユーザ端末を操作するユーザに対応するアバターの仮想空間内の位置とが、所定の距離範囲であって、かつ、ユーザ端末に第１の広告データが表示されたことに応じて、ユーザ端末に第１の広告データが閲覧されたことを示す広告閲覧ログを記憶する。
【００１４】
そのため、広告配信サーバは、仮想空間内の第１の広告データの位置と、ユーザのアバターの位置とが、所定の距離範囲であって、かつ、アバターのユーザのユーザ端末に第１の広告データが表示されたときには、広告閲覧ログを記憶してユーザが第１の広告データを閲覧したことを記録して、時刻と対応付けたログとして記憶することが可能となる。
【００１５】
したがって、広告配信サーバは、広告閲覧ログを記憶してユーザが第１の広告データを閲覧したことを記録して、仮想空間における広告配信の計測を可能にし、広告効果の評価を行うことが可能となる。
【００１６】
（３）  前記ユーザ同一性判断手段が判断した同一のユーザに対して、前記広告閲覧ログ記憶手段に記憶された広告閲覧ログに基づいて、閲覧時刻が最新の前記第１の広告データに関連した第２の広告データを選択する広告データ選択手段を備える（１）又は（２）に記載のサーバ。
【００１７】
（３）の発明によれば、広告配信サーバは、ユーザの同一性を判断して、同一と判断したユーザに対して、広告閲覧ログ記憶手段に記憶された広告閲覧ログに基づいて、閲覧時刻が最新の第１の広告データに関連した第２の広告データを選択する。
【００１８】
そのため、広告配信サーバは、ユーザの同一性を判断して、同一と判断したユーザに対して、広告閲覧ログに基づいて、閲覧時刻が最新の第１の広告と関連した第２の広告を表示することができる。
【００１９】
（４）  ユーザ端末に対して、広告データを配信する広告配信サーバが実行する広告配信方法であって、
仮想空間を前記ユーザ端末に表示するためのデータを送信するステップと、
前記仮想空間内の所定の位置に、第１の広告データを配置するステップと、
前記ユーザ端末を操作する仮想空間内におけるユーザを認証するステップと、
前記ユーザ端末に前記第１の広告データが表示されたことに応じて、前記ユーザ端末に前記第１の広告データが閲覧されたことを示す広告閲覧ログを記憶するステップと、
ユーザ端末を介して、広告枠を有するＷｅｂページに対する配信要求を受付けるステップと、
前記配信要求を受付けたユーザ端末のユーザを認証するステップと、
前記仮想空間において認証されたユーザと、前記配信要求を受け付けて認証されたユーザと、の同一性を判断するステップと、
前記同一と判断されたユーザに対して、前記広告閲覧ログに基づいて、前記第１の広告データに関連した第２の広告データを選択するステップと、
前記配信要求を受付けた前記Ｗｅｂページ内の広告枠に表示するために、前記選択した第２の広告データを、前記ユーザ端末に配信するステップと、
を備える広告配信方法。
【発明の効果】
【００２０】
本発明によれば、仮想空間における広告配信と通常のＷｅｂページにおける広告とを連動して表示して広告に対するユーザの興味を継続させると共に、仮想空間において掲載した広告に対してページビューの計測を可能にし、広告効果の評価を行うことが可能な広告配信サーバ、システム、方法を提供することができる。
【発明を実施するための最良の形態】
【００２１】
以下、本発明を実施するための最良の形態について図を参照しながら説明する。なお、これはあくまでも一例であって、本発明の技術的範囲はこれに限られるものではない。
【００２２】
［広告配信システムの全体構成］
図１，図２は、本実施形態に係る広告配信システム１０の全体構成を示す図である。
【００２３】
はじめに、図１を参照して説明する。本実施形態に係る広告配信システム１０は、後述する広告配信サーバ１とユーザ端末２とを含む。広告配信サーバ１は、例えば、インターネット等の通信ネットワークＮに接続されている。ユーザ端末２は、通信ネットワークＮに接続されている。
【００２４】
広告配信サーバ１は、図３において後述する仮想空間提供手段３０により、仮想空間４０１をユーザ端末２に表示するためのデータを通信ネットワークＮを介してユーザ端末２に送信する。広告配信サーバ１がユーザ端末２に送信するデータは、例えば、仮想空間４０１を構成する背景オブジェクト、オブジェクトに貼り付けるテクスチャデータである。
【００２５】
さらに、広告配信サーバ１は、図３において後述する仮想空間広告提供手段３１により、仮想空間４０１内の所定の位置に第１の広告データを配置して、ユーザ端末２の図７において後述する表示装置５２０に、仮想空間４０１における広告である仮想空間広告４１１を表示する。
【００２６】
また、広告配信サーバ１は、図３において後述する仮想空間認証手段３２により認証されたユーザのアバター４２１を表示するためのデータを図３において後述するアバター提供手段３３よりユーザ端末２に送信して、ユーザ端末２の図７において後述する表示装置５２０に、仮想空間４０１におけるユーザの分身であるアバター４２１を表示してもよい。
【００２７】
また、広告配信サーバ１は、ユーザ端末２の図７において後述する入力装置５１０より入力された操作信号に基づいて、図３において後述するアバター移動手段３４により、ユーザ端末２の表示装置５２０に表示した仮想空間４０１においてアバター４２１を移動表示してもよい。
【００２８】
さらに、広告配信サーバ１は、アバター４２１と仮想空間広告４１１が所定の距離範囲であるときであって、ユーザ端末２の図７において後述する表示装置５２０に仮想空間広告４１１が表示されているときに、図３において後述する広告閲覧ログ記憶手段３５により、図３において後述する広告閲覧ログＤＢ３６に記憶している図４において後述する広告閲覧ログテーブル１０１に、ユーザ端末２の認証されたユーザが閲覧した仮想空間広告４１１のＩＤ番号である閲覧広告ＩＤ等を記憶する。
【００２９】
そして、広告配信サーバ１は、ユーザＡ，Ｂ，Ｃ，Ｄ・・・が図７において後述するユーザ端末２の入力装置５１０より入力された発言４２２を、ユーザ端末２の表示装置５２０に表示する。
【００３０】
次に、図２を参照して説明する。ユーザは、ユーザ端末２の表示装置５２０において、例えば、Ｗｅｂブラウザ等のアプリケーションにより、Ｗｅｂページ４０２を閲覧している。Ｗｅｂページ４０２は、広告枠４１２を有する。さらに、広告配信サーバ１は、図３において後述する配信受付手段３７により、広告枠４１２の内容を表示するための配信要求を受け付ける。そして、広告配信サーバ１は、図３において後述するログイン認証手段３８により、配信要求を受け付けたユーザ端末２のユーザを認証する。
【００３１】
これにより、広告配信サーバ１は、図３において後述するユーザ同一性判断手段３９により、ログイン認証手段により認証されたユーザと、広告閲覧ログＤＢ３６に記憶している広告閲覧ログテーブル１０１のユーザと、の同一性を判断する。
【００３２】
広告配信サーバ１は、ユーザＡを同一のユーザと判断し、図３において後述する広告データ選択手段４０により、図３において後述する広告閲覧ログＤＢ３６に記憶している図５において後述する広告テーブル１１１を参照して、記憶している仮想空間における仮想空間広告４１１を表示するためのデータである第１の広告データに関連したデータである第２の広告データを選択する。そして、広告配信サーバ１は、図３において後述する広告配信手段４２によりユーザＡの閲覧しているＷｅｂページ４０２の広告枠４１２に第二の広告データによる広告を表示させる。
【００３３】
そのため、広告配信サーバ１は仮想空間４０１において仮想空間広告４１１を閲覧したユーザＡが、Ｗｅｂページを閲覧したときに、広告枠４１２に仮想空間広告４１１に関連した広告を表示することができる。
【００３４】
［広告配信サーバの機能構成］
図２は、本実施形態に係る広告配信サーバ１の機能構成の概要を示す図である。本実施形態に係る広告配信サーバ１は、仮想空間提供手段３０、仮想空間広告提供手段３１、仮想空間認証手段３２、広告閲覧ログ記憶手段３５、広告閲覧ログＤＢ３６、配信受付手段３７、ログイン認証手段３８、ユーザ同一性判断手段３９、広告データ選択手段４０、広告ＤＢ４１及び広告配信手段４２を備える。
また、広告配信サーバ１は、さらにアバター提供手段３３及びアバター移動手段３４を備えていてもよい。
【００３５】
仮想空間提供手段３０は、仮想空間４０１をユーザ端末２に表示するためのデータを通信ネットワークＮを介してユーザ端末２に送信する。送信するデータは、例えば、仮想空間４０１を構成する背景オブジェクト、オブジェクトに貼り付けるテクスチャデータである。
【００３６】
仮想空間広告提供手段３１は、ユーザ端末２の図７において後述する表示装置５２０に表示された仮想空間４０１内の所定の位置に第１の広告データを配置して、仮想空間４０１における広告である仮想空間広告４１１を表示する。
【００３７】
仮想空間認証手段３２は、図７において後述する表示装置５２０に仮想空間４０１を表示するユーザ端末２のユーザを認証する。認証は、例えば、ユーザがＩＤ番号をキーボード等のユーザ端末２の入力装置５１０から入力してもよく、予め入力したＩＤ番号をユーザ端末２が記憶しておくようにしてもよく、ＩＣカード等に記憶されたＩＤ番号をカードリーダー等のユーザ端末２の入力装置５１０から入力してもよい。
【００３８】
広告配信サーバ１は、これより説明するアバター提供手段３３及びアバター移動手段３４を備えていてもよいが、必ずしもアバター提供手段３３及びアバター移動手段３４は必須の要件ではなく、ユーザの分身として仮想空間内において移動可能なアバターを表示する態様において、必要となる構成である。
【００３９】
アバター提供手段３３は、図７において後述する表示装置５２０に表示された仮想空間４０１に、ユーザの分身であるアバターを表示するためのデータを、通信ネットワークＮを介してユーザ端末２に送信する。送信するデータは、例えば、アバターを構成するオブジェクト、オブジェクトに貼り付けるテクスチャデータ及びアバターのモーションデータである。アバターは、例えば、背格好、服装、髪型及びモーションデータを複数の種類から選択してユーザ毎に異なる表示態様とすることにより、仮想空間に複数のアバターが表示された場合にそれぞれのアバターの識別を助けるようにしてもよい。
【００４０】
アバター移動手段３４は、ユーザ端末２の図７において後述する表示装置５２０に表示した仮想空間４０１においてアバター４２１を移動表示するためのデータを、通信ネットワークＮを介してユーザ端末２に送信する。送信するデータは、例えば、仮想空間４０１の背景オブジェクトに対するアバター４２１の座標データである。さらに、アバターを移動表示することと、ユーザ端末２の入力装置５１０から入力されたデータに基づいてアバター４２１を移動表示するためのデータを、ユーザ端末２に送信することを繰り返すことにより、ユーザがユーザ端末２の入力装置５１０を操作してアバター４２１の位置を操作できるようにしてもよい。
【００４１】
広告閲覧ログ記憶手段３５は、アバター４２１と仮想空間広告４１１とが所定の距離範囲にあるときであって、ユーザ端末２の図７において後述する表示装置５２０に仮想空間広告４１１が表示されているときに、広告閲覧ログＤＢ３６に記憶している図４において後述する広告閲覧ログテーブル１０１に、ユーザ端末２の認証されたユーザが閲覧した仮想空間広告４１１のＩＤ番号である閲覧広告ＩＤ等を記憶する。
【００４２】
広告閲覧ログテーブル１０１に記憶するデータは、仮想空間広告４１１のＩＤ番号である閲覧広告ＩＤの他に、例えば、それぞれのユーザが仮想空間広告４１１を閲覧した時刻である閲覧日時、アバター４２１と仮想空間広告４１１とが所定の距離範囲にあるときであって、ユーザ端末２の図７において後述する表示装置５２０に仮想空間広告４１１が表示されており、広告を閲覧していると判断される状態の継続時間である閲覧時間、及び、閲覧時間中にアバターが立ち止まったか否か、等のアバターを操作するユーザの仮想空間広告４１１に対する関心を示すデータであってよい。
【００４３】
配信受付手段３７は、図７において後述する表示装置５２０において、例えば、Ｗｅｂブラウザ等のアプリケーションにより、広告枠４１２を有するＷｅｂページ４０２を閲覧しているユーザ端末２より、広告枠４１２の内容を表示するための配信要求を受け付ける。
【００４４】
ログイン認証手段３８は、配信受付手段３７において配信要求を受け付けたユーザ端末２のユーザを認証する。認証は、例えば、ユーザがＩＤ番号をキーボード等のユーザ端末２の入力装置５１０から入力してもよく、予め入力したＩＤ番号をユーザ端末２が記憶しておくようにしてもよく、ＩＣカード等に記憶されたＩＤ番号をカードリーダー等のユーザ端末２の入力装置５１０から入力してもよい。
【００４５】
ユーザ同一性判断手段３９は、仮想空間認証手段３２において認証し、広告閲覧ログＤＢ３６に記憶されているユーザＩＤと、ログイン認証手段３８において認証したユーザＩＤが同一のユーザのＩＤか否かを判断する。
【００４６】
広告データ選択手段４０は、ユーザ同一性判断手段３９においてユーザが同一であると判断されたときには、広告ＤＢ４１が記憶している図５において後述する広告テーブル１１１を参照して、広告閲覧ログＤＢ３６に記憶されている図４において後述する広告閲覧ログテーブル１０１の示す、第１の広告データと関連した、第２の広告データを選択する。
【００４７】
広告配信手段４２は、広告データ選択手段４０が選択した第２の広告データをユーザ端末２に送信して、ユーザ端末２の、図７において後述する表示装置５２０に表示されているＷｅｂページ４０２の有する広告枠４１２に、表示させる。
【００４８】
これにより、広告配信サーバ１は、仮想空間認証手段３２において認証したユーザとログイン認証手段３８において認証したユーザが同一か否かをユーザ同一性判断手段３９において判断する。そして、ユーザが同一であると判断したときには、広告閲覧ログＤＢ３６が記憶している広告閲覧ログテーブル１０１と、広告ＤＢ４１が記憶している広告テーブル１１１と、を参照して、仮想空間４０１における仮想空間広告４１１を表示するための第１の広告データに関連した、Ｗｅｂページ４０２の有する広告枠４１２に表示するための第２の広告データを、選択することができる。
【００４９】
［広告閲覧ログ記憶手段と関連要素の構成］
図４は、広告閲覧ログ記憶手段３５と関連要素との構成の概要を示す図である。
広告閲覧ログ記憶手段３５は、広告閲覧ログテーブル１０１を備える。広告閲覧ログテーブル１０１は、広告閲覧ログ記憶手段３５が、それぞれのユーザのアバター４２１が仮想空間広告４１１に所定の距離範囲内であって、仮想空間広告４１１が図７において後述する表示装置５２０に表示されていたときに、ユーザが仮想空間広告４１１を閲覧したとする。
【００５０】
広告閲覧ログテーブル１０１には、仮想空間広告４１１の広告ＩＤである閲覧広告ＩＤ、閲覧した時刻である閲覧日時、閲覧している状態を継続した時間である閲覧時間、閲覧している状態におけるユーザの行動を示す閲覧時間中にアバターが立ち止まったか否か等、仮想空間広告４１１を閲覧したときにそれぞれのユーザについて記憶したアバターの行動が閲覧広告ＩＤに関連付けて記憶されている。
【００５１】
［発言同一性判断手段及び発言集計手段と関連要素の構成］
図５は広告データ選択手段４０と関連要素の概要を示す図である。
広告データ選択手段４０は、広告テーブル１１１を備える。広告テーブル１１１は、広告ＩＤにＷｅｂページ４０２の有する広告枠４１２に表示するための広告データが関連付けて記憶されている。
【００５２】
そのため、広告閲覧ログテーブル１０１において、最新の閲覧日時に関連付けられた閲覧広告ＩＤを選択することにより、ユーザが閲覧した最新の仮想空間広告４１１を示す閲覧広告ＩＤを選択することができる。そして、広告テーブル１１１において、閲覧広告ＩＤに応じた広告ＩＤに関連付けられた広告データを選択することができる。
【００５３】
［広告配信サーバのハードウェア構成図］
図６は、本実施形態に係る広告配信サーバ１のハードウェア構成を示す図である。
広告配信サーバ１は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００５４】
制御部３００は、広告配信サーバ１を統括的に制御する部分であり、ハードディスク３７０（後述）に記憶された各種プログラムを適宜読み出して実行することにより、上述したハードウェアと協働し、本発明に係る各種機能を実現している。
【００５５】
通信Ｉ／Ｆ３３０は、広告配信サーバ１が、例えば、インターネット等の通信ネットワークＮを介してユーザ端末２と情報を送受信する場合のネットワーク・アダプタである。通信Ｉ／Ｆ３３０は、モデム、ケーブル・モデム及びイーサネット（登録商標）・アダプタを含んでよい。
【００５６】
ＢＩＯＳ３５０は、広告配信サーバ１の起動時にＣＰＵ３１０が実行するブートプログラムや、広告配信サーバ１がハードウェアに依存するプログラム等を記録する。
【００５７】
Ｉ／Ｏコントローラ３６０には、ハードディスク３７０、光ディスクドライブ３８０、及び半導体メモリ３９０等の記憶装置４１０を接続することができる。
【００５８】
ハードディスク３７０は、本ハードウェアを広告配信サーバ１として機能させるための各種プログラム、本発明の機能を実行するプログラム及び後述するテーブル及びレコードを記憶する。なお、広告配信サーバ１は、外部に別途設けたハードディスク（図示せず）を外部記憶装置として利用することもできる。
【００５９】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００６０】
なお、本発明でいうコンピュータとは、記憶装置、制御部等を備えた情報処理装置をいい、広告配信サーバ１は、記憶装置４１０、制御部３００等を備えた情報処理装置により構成され、この情報処理装置は、本発明のコンピュータの概念に含まれる。
【００６１】
広告配信サーバ１においては、記憶装置４１０が主として広告閲覧ログ記憶手段３５、広告閲覧ログＤＢ３６、及び、広告ＤＢ４１に対応し、制御部３００が仮想空間提供手段３０、仮想空間広告提供手段３１、アバター提供手段３３、アバター移動手段３４、ユーザ同一性判断手段３９、広告データ選択手段４０、に対応し、通信Ｉ／Ｆ３３０が仮想空間認証手段３２、配信受付手段３７、ログイン認証手段３８、広告配信手段４２に対応する。
【００６２】
［ユーザ端末のハードウェア構成］
図７は、本実施形態に係るユーザ端末２のハードウェア構成を示す図である。
ユーザ端末２は、上述の広告配信サーバと同様な構成を持つ。加えて、ユーザ端末２は、入力装置５１０及び表示装置５２０をさらに備える。
【００６３】
入力装置５１０は、ユーザが入力を行うための入力装置であり、例えば、キーボード、マウス等を含む。表示装置５２０は、制御部６００が画像表示を行うための装置であり、例えば、液晶ディスプレイ、プラズマディスプレイ及びＣＲＴ等を含む。
【００６４】
［本発明の実施形態に係るフローチャート（１）］
図８は、本発明の実施形態に係る広告配信サーバ１における処理（１）のフローチャートを示している。
【００６５】
Ｓ１：インターネット等の通信ネットワークＮを介して仮想空間を表示するためのデータを通信Ｉ／Ｆ３３０より送信しユーザ端末２の表示装置５２０に表示させる。
【００６６】
Ｓ２：ユーザ端末２の表示装置５２０において表示した仮想空間４０１内の所定の位置に第１の広告データを配置する。
【００６７】
Ｓ３：ユーザ端末２の入力装置５１０から入力されたユーザＩＤに基づいて、ユーザ端末２を操作するユーザを仮想空間４０１内において認証する。
【００６８】
これより説明するＳ４，Ｓ５，Ｓ６は、基本的な実施態様としては、必ずしも実行する必要はなく、Ｓ３の次はＳ７を実行してもよい。例えば、アバター４２１の表示に関わらず、第１の広告データをユーザ端末２に表示したならば、この表示をもって、広告閲覧ログを記憶する態様であるならば、Ｓ４，Ｓ５，Ｓ６は、必ずしも実行する必要はない。以下では、アバター４２１を仮想空間上に表示し、第１の広告データと関連を有する実施態様について説明する。
【００６９】
Ｓ４：認証したユーザのアバター４２１をユーザ端末２の表示装置５２０に表示させるためのデータを通信Ｉ／Ｆ３３０より送信する。
【００７０】
Ｓ５：ユーザ端末２の入力装置５１０に入力された操作信号を通信Ｉ／Ｆ３３０より受信したことに応じて、ユーザ端末２の表示装置５２０に表示されたアバター４２１を仮想空間４０１内にて移動表示させるためのデータを、通信Ｉ／Ｆ３３０より送信する。
【００７１】
Ｓ６：第１の広告データが仮想空間４０１内に仮想空間広告４１１として配置された位置と、移動表示されたアバター４２１の位置とが、所定の距離範囲であるか否かを判別する。
【００７２】
Ｓ７：所定の距離範囲であるとき、ユーザ端末２の表示装置５２０に第１の広告データが仮想空間広告４１１として表示されたか否かを判別する。
【００７３】
Ｓ８：表示されているとき、ユーザ端末２の認証されたユーザに第１の広告データによる仮想空間広告４１１が閲覧されたことを示す広告閲覧ログテーブル１０１を記憶する。
【００７４】
［本発明の実施形態に係るフローチャート（２）］
図９は、本発明の実施形態に係る広告配信サーバ１における処理（２）のフローチャートを示している。
【００７５】
Ｓ１１：ユーザ端末２より、Ｗｅｂページ４２０の有する広告枠４１２に対する配信要求を通信Ｉ／Ｆ３３０に受付ける。
【００７６】
Ｓ１２：配信要求を受付けたユーザ端末２のユーザをユーザ端末２の入力装置５１０から入力されたユーザＩＤに基づいて認証する。
【００７７】
Ｓ１３：仮想空間４０１において認証されたユーザと、配信要求を受付けたユーザ端末２の認証されたユーザと、の同一性を判断する。
【００７８】
Ｓ１４：同一と判断されたユーザに対して、広告閲覧ログテーブル１０１及び広告テーブル１１１に基づいて、第１の広告データに関連した第２の広告データを選択する。
【００７９】
Ｓ１５：配信要求を受付けたユーザ端末２の表示装置５２０に表示されたＷｅｂページ４０２の有する広告枠４１２に表示するために、選択した第２の広告データを通信Ｉ／Ｆ３３０より、ユーザ端末２に配信する。
【００８０】
本発明の実施形態に記載された効果は、本発明から生じる最も好適な効果を列挙したに過ぎず、本発明による効果は、本発明の実施例に記載されたものに限定されるものではない。
【図面の簡単な説明】
【００８１】
【図１】本実施形態に係る広告配信システムの全体構成を示す図である。
【図２】図１に続く本実施形態に係る広告配信システムの全体構成を示す図である。
【図３】本実施形態に係る広告配信サーバの機能構成の概要を示す図である。
【図４】広告閲覧ログテーブルの概要を示す図である。
【図５】広告テーブルの概要を示す図である。
【図６】本実施形態に係る広告配信サーバのハードウェア構成を示す図である。
【図７】本実施形態に係るユーザ端末のハードウェア構成を示す図である。
【図８】本実施形態に係る広告配信サーバにおける処理のフローチャートである。
【図９】図８に続く本実施形態に係る広告配信サーバにおける処理のフローチャートである。
【符号の説明】
【００８２】
１  広告配信サーバ
２  ユーザ端末
１０  広告配信システム
３２  仮想空間認証手段
３８  ログイン認証手段
３９  ユーザ同一性判断手段
【図１】
2010015333.tif 000003
【図２】
2010015333.tif 000004
【図３】
2010015333.tif 000005
【図４】
2010015333.tif 000006
【図５】
2010015333.tif 000007
【図６】
2010015333.tif 000008
【図７】
2010015333.tif 000009
【図８】
2010015333.tif 000010
【図９】
2010015333.tif 000011
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
ユーザ端末に対して、広告データを配信する広告配信サーバであって、
仮想空間を前記ユーザ端末に表示するためのデータを送信する仮想空間提供手段と、
前記仮想空間内の所定の位置に、第１の広告データを配置する仮想空間広告提供手段と、
前記ユーザ端末を操作するユーザを認証する仮想空間認証手段と、
前記ユーザ端末に前記第１の広告データが表示されたことに応じて、前記ユーザ端末に前記第１の広告データが閲覧されたことを示す広告閲覧ログを記憶する広告閲覧ログ記憶手段と、
ユーザ端末を介して、広告枠を有するＷｅｂページに対する配信要求を受付ける配信受付手段と、
前記配信要求を受付けたユーザ端末のユーザを認証するログイン認証手段と、
前記仮想空間認証手段により認証されたユーザと、前記ログイン認証手段により認証されたユーザと、の同一性を判断するユーザ同一性判断手段と、
前記ユーザ同一性判断手段が判断した同一のユーザに対して、前記広告閲覧ログ記憶手段に記憶された広告閲覧ログに基づいて、前記第１の広告データに関連した第２の広告データを選択する広告データ選択手段と、
前記配信要求を受付けた前記Ｗｅｂページ内の広告枠に表示するために、前記広告データ選択手段が選択した第２の広告データを、前記ユーザ端末に配信する広告配信手段と、
を備える広告配信サーバ。
【請求項２】
前記広告閲覧ログ記憶手段は、前記第１の広告データが配置された前記仮想空間内の所定の位置と、前記ユーザ端末を操作するユーザに対応するアバターの前記仮想空間内の位置とが、所定の距離範囲であって、かつ、前記ユーザ端末に前記第１の広告データが表示されたことに応じて、前記ユーザ端末に前記第１の広告データが閲覧されたことを示す広告閲覧ログを記憶する、請求項１に記載の広告配信サーバ。
【請求項３】
前記ユーザ同一性判断手段が判断した同一のユーザに対して、前記広告閲覧ログ記憶手段に記憶された広告閲覧ログに基づいて、閲覧時刻が最新の前記第１の広告データに関連した第２の広告データを選択する広告データ選択手段を備える請求項１又は２に記載の広告配信サーバ。
【請求項４】
ユーザ端末に対して、広告データを配信する広告配信サーバが実行する広告配信方法であって、
仮想空間を前記ユーザ端末に表示するためのデータを送信するステップと、
前記仮想空間内の所定の位置に、第１の広告データを配置するステップと、
前記ユーザ端末を操作する仮想空間内におけるユーザを認証するステップと、
前記ユーザ端末に前記第１の広告データが表示されたことに応じて、前記ユーザ端末に前記第１の広告データが閲覧されたことを示す広告閲覧ログを記憶するステップと、
ユーザ端末を介して、広告枠を有するＷｅｂページに対する配信要求を受付けるステップと、
前記配信要求を受付けたユーザ端末のユーザを認証するステップと、
前記仮想空間において認証されたユーザと、前記配信要求を受け付けて認証されたユーザと、の同一性を判断するステップと、
前記同一と判断されたユーザに対して、前記広告閲覧ログに基づいて、前記第１の広告データに関連した第２の広告データを選択するステップと、
前記配信要求を受付けた前記Ｗｅｂページ内の広告枠に表示するために、前記選択した第２の広告データを、前記ユーザ端末に配信するステップと、
を備える広告配信方法。
【手続補正３】
【補正対象書類名】明細書
【補正対象項目名】０００１
【補正方法】変更
【補正の内容】
【０００１】
本発明は、仮想空間内でユーザが見た広告に関連した広告を、当該ユーザが閲覧しているＷｅｂページに表示する広告配信サーバ及び方法に関する。
【手続補正４】
【補正対象書類名】明細書
【補正対象項目名】０００４
【補正方法】変更
【補正の内容】
【０００４】
本発明は、仮想空間における広告配信と通常のＷｅｂページにおける広告とを連動して表示して広告に対するユーザの興味を継続させると共に、仮想空間において掲載した広告に対してページビューの計測を可能にし、広告効果の評価を行うことが可能な広告配信サーバ及び方法を提供することを目的とする。
【手続補正５】
【補正対象書類名】明細書
【補正対象項目名】０００５
【補正方法】変更
【補正の内容】
【０００５】
上記目的を達成するために、本発明者は、仮想空間における広告を閲覧したユーザと、Ｗｅｂページを閲覧したユーザと、の同一性を判断して、仮想空間における広告と関連した広告をＷｅｂページに表示してユーザに閲覧させる仕組みを見出し、本発明を想到するに到った。
本発明に係る広告配信サーバ及び方法は、仮想空間内でユーザが見た広告に関連した広告を、当該ユーザが閲覧しているＷｅｂページに表示するものである。
【手続補正６】
【補正対象書類名】明細書
【補正対象項目名】０００８
【補正方法】変更
【補正の内容】
【０００８】
一方で、広告配信サーバは、広告枠を有するＷｅｂページを表示したユーザ端末から広告の配信要求を受付ける。さらに、広告配信サーバは、配信要求を受け付けたユーザ端末を操作するユーザを認証する。そして、広告配信サーバは上述の仮想空間を表示するユーザ端末を操作して認証されたユーザと、配信要求を受け付けたユーザ端末の認証されたユーザと、の同一性を判断する。広告配信サーバは、同一のユーザであると判断したときには、ユーザが仮想空間において広告を閲覧した広告閲覧ログに基づいて、第１の広告データに関連した第２の広告データを選択する。
【手続補正７】
【補正対象書類名】明細書
【補正対象項目名】００１６
【補正方法】変更
【補正の内容】
【００１６】
（３）  前記ユーザ同一性判断手段が判断した同一のユーザに対して、前記広告閲覧ログ記憶手段に記憶された広告閲覧ログに基づいて、閲覧時刻が最新の前記第１の広告データに関連した第２の広告データを選択する広告データ選択手段を備える（１）又は（２）に記載の広告配信サーバ。
【手続補正８】
【補正対象書類名】明細書
【補正対象項目名】００２０
【補正方法】変更
【補正の内容】
【００２０】
本発明によれば、仮想空間における広告配信と通常のＷｅｂページにおける広告とを連動して表示して広告に対するユーザの興味を継続させると共に、仮想空間において掲載した広告に対してページビューの計測を可能にし、広告効果の評価を行うことが可能な広告配信サーバ及び方法を提供することができる。
【手続補正９】
【補正対象書類名】明細書
【補正対象項目名】００３２
【補正方法】変更
【補正の内容】
【００３２】
広告配信サーバ１は、ユーザＡを同一のユーザと判断し、図３において後述する広告データ選択手段４０により、図３において後述する広告閲覧ログＤＢ３６に記憶している図５において後述する広告テーブル１１１を参照して、記憶している仮想空間における仮想空間広告４１１を表示するためのデータである第１の広告データに関連したデータである第２の広告データを選択する。そして、広告配信サーバ１は、図３において後述する広告配信手段４２によりユーザＡの閲覧しているＷｅｂページ４０２の広告枠４１２に第２の広告データによる広告を表示させる。
【手続補正１０】
【補正対象書類名】明細書
【補正対象項目名】００３４
【補正方法】変更
【補正の内容】
【００３４】
［広告配信サーバの機能構成］
図３は、本実施形態に係る広告配信サーバ１の機能構成の概要を示す図である。本実施形態に係る広告配信サーバ１は、仮想空間提供手段３０、仮想空間広告提供手段３１、仮想空間認証手段３２、広告閲覧ログ記憶手段３５、広告閲覧ログＤＢ３６、配信受付手段３７、ログイン認証手段３８、ユーザ同一性判断手段３９、広告データ選択手段４０、広告ＤＢ４１及び広告配信手段４２を備える。
また、広告配信サーバ１は、さらにアバター提供手段３３及びアバター移動手段３４を備えていてもよい。
【手続補正１１】
【補正対象書類名】明細書
【補正対象項目名】００４２
【補正方法】変更
【補正の内容】
【００４２】
広告閲覧ログテーブル１０１に記憶するデータは、仮想空間広告４１１のＩＤ番号である閲覧広告ＩＤの他に、例えば、それぞれのユーザが仮想空間広告４１１を閲覧した時刻である閲覧日時、アバター４２１と仮想空間広告４１１とが所定の距離範囲にあるときであって、ユーザ端末２の図７において後述する表示装置５２０に仮想空間広告４１１が表示されており、広告を閲覧していると判断される状態の継続時間である閲覧時間、及び閲覧時間中にアバターが立ち止まったか否か、等のアバターを操作するユーザの仮想空間広告４１１に対する関心を示すデータであってもよい。
【手続補正１２】
【補正対象書類名】明細書
【補正対象項目名】００５１
【補正方法】変更
【補正の内容】
【００５１】
［ユーザ同一性判断手段と関連要素の構成］
図５は広告データ選択手段４０と関連要素の概要を示す図である。
広告データ選択手段４０は、広告テーブル１１１を備える。広告テーブル１１１は、広告ＩＤにＷｅｂページ４０２の有する広告枠４１２に表示するための広告データが関連付けて記憶されている。
【手続補正１３】
【補正対象書類名】明細書
【補正対象項目名】００５３
【補正方法】変更
【補正の内容】
【００５３】
［広告配信サーバのハードウェア構成］
図６は、本実施形態に係る広告配信サーバ１のハードウェア構成を示す図である。
広告配信サーバ１は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０及び半導体メモリ３９０はまとめて記憶装置４１０と呼ばれる。
【手続補正１４】
【補正対象書類名】明細書
【補正対象項目名】００５７
【補正方法】変更
【補正の内容】
【００５７】
Ｉ／Ｏコントローラ３６０には、ハードディスク３７０、光ディスクドライブ３８０及び半導体メモリ３９０等の記憶装置４１０を接続することができる。
【手続補正１５】
【補正対象書類名】明細書
【補正対象項目名】００６１
【補正方法】変更
【補正の内容】
【００６１】
広告配信サーバ１においては、記憶装置４１０が主として広告閲覧ログ記憶手段３５、広告閲覧ログＤＢ３６及び広告ＤＢ４１に対応し、制御部３００が仮想空間提供手段３０、仮想空間広告提供手段３１、アバター提供手段３３、アバター移動手段３４、ユーザ同一性判断手段３９、広告データ選択手段４０、に対応し、通信Ｉ／Ｆ３３０が仮想空間認証手段３２、配信受付手段３７、ログイン認証手段３８、広告配信手段４２に対応する。
【手続補正１６】
【補正対象書類名】明細書
【補正対象項目名】００７５
【補正方法】変更
【補正の内容】
【００７５】
Ｓ１１：ユーザ端末２より、Ｗｅｂページ４０２の有する広告枠４１２に対する配信要求を通信Ｉ／Ｆ３３０に受付ける。
【手続補正１７】
【補正対象書類名】明細書
【補正対象項目名】００８１
【補正方法】変更
【補正の内容】
【００８１】
【図１】本実施形態に係る広告配信システムの全体構成を示す図である。
【図２】図１に続く本実施形態に係る広告配信システムの全体構成を示す図である。
【図３】本実施形態に係る広告配信サーバの機能構成の概要を示す図である。
【図４】広告閲覧ログ記憶手段と関連要素との構成の概要を示す図である。
【図５】広告データ選択手段と関連要素の概要を示す図である。
【図６】本実施形態に係る広告配信サーバのハードウェア構成を示す図である。
【図７】本実施形態に係るユーザ端末のハードウェア構成を示す図である。
【図８】本実施形態に係る広告配信サーバにおける処理のフローチャートである。
【図９】図８に続く本実施形態に係る広告配信サーバにおける処理のフローチャートである。